(57)【要約】【課題】  デザインバラエティーを広げることができる時計を提供する。【解決手段】  時計ケース１０内にムーブメント１１及び表示部を構成する文字板１を配置した時計において、文字板１には起立した略字体２１が形成され、この略字体２１の側面に対し、表示部を正面から見たときには視認できない数字、記号或いは模様等の絵柄が、表示部を斜めに見たときに視認できるように形成されている。【選択図】      図１
2005114573.tif 000002
【特許請求の範囲】
【請求項１】
時計ケース内にムーブメント及び表示部を構成する文字板を配置した時計において、
前記文字板には起立した略字体が形成され、
この略字体の側面に対し、表示部を正面から見たときには視認できない数字、記号或いは模様等の絵柄が、表示部を斜めに見たときに視認できるように形成されている、
ことを特徴とする時計。
【請求項２】
前記略字体の側面に対し、表示部を正面から見たときには視認できない数字、記号或いは模様等の絵柄が、表示部を斜めに見たときに視認できるように打ち抜き形成されていることを特徴とする請求項１記載の時計。
【請求項３】
前記文字板が複数枚の板材を積層して形成され、上側の板材にはスリットが形成され、下側の板材には、上側の板材のスリットを貫通して延びる前記略字体が形成されていることを特徴とする請求項２記載の時計。
【請求項４】
前記下側の板材には、一部切り起こしによって前記略字体が形成されていることを特徴とする請求項３記載の時計。
【発明の詳細な説明】
【技術分野】
【０００１】
本発明は、文字板を備えた時計に関する。
【背景技術】
【０００２】
一般に、置き時計、腕時計、懐中時計、ストップウォッチ等の各種時計においては、時計ケースに内蔵されたムーブメントの表面側に文字板が配置され、この文字板上に時刻等を表示する文字や図形、その他の模様等が表されている。
文字板には中央孔が形成され、この中央孔を貫通する指針部が設けられ、この指針部に取り付けられた各指針によって時刻や時間を表示する表示部が構成されている。上記各種時計の文字板は、一般に１枚の金属等からなる板状体からなり、時計ケースや地板に対して固定されている。文字板には、複数枚の板状体を重ねた多層文字板もあり、この多層文字板では、例えば、表面側の板状体に開口部を設けて、この開口部から裏面側の板状体に表された文字や模様等が視認できるように構成されている。
この多層文字板では、立体的かつ複雑な文字板デザインを形成することができ、さらに文字板デザインを複雑化するため、文字板にリングを植えたものなどが提案されている（例えば特許文献１）。
【特許文献１】実開平５−９２７７７号公報
【発明の開示】
【発明が解決しようとする課題】
【０００３】
しかし、従来の構成では、文字板の構成が無表情であり、デザインバラエティーに限界を生じさせるといった問題がある。
そこで、本発明の目的は、デザインバラエティーを広げることができる時計を提供することにある。
【課題を解決するための手段】
【０００４】
本発明は、時計ケース内にムーブメント及び表示部を構成する文字板を配置した時計において、文字板には起立した略字体が形成され、この略字体の側面に対し、表示部を正面から見たときには視認できない数字、記号或いは模様等の絵柄が、表示部を斜めに見たときに視認できるように形成されていることを特徴とする。
これによれば、表示部を正面から見たときには視認できない数字、記号或いは模様等の絵柄を、表示部を斜めに見たときには視認できるように構成するため、一見無表情な時計の中にも、今まで表現できなかった表示部の実現が可能になり、デザインバラエティーを広げることができる。
【０００５】
また、略字体の側面に対し、表示部を正面から見たときには視認できない数字、記号或いは模様等の絵柄が、表示部を斜めに見たときに視認できるように打ち抜き形成されていてもよい。
これによれば、表示部を正面から見たときには、何の変哲もない略字体が表れるだけであるが、光がもたらす様々な現象によって、その光が略字体に遮られると共に、打ち抜き形成された部分を透過する光が文字板上に陰を落とす。これによって、表示部を斜めに見たときばかりでなく、正面から見たときであっても、当該絵柄等を文字板上で視認可能になり、今まで表現できなかった表示部の実現が可能になり、デザインバラエティーを広げることができる。
さらに、文字板が複数枚の板材を積層して形成され、上側の板材にはスリットが形成され、下側の板材には、上側の板材のスリットを貫通して延びる略字体が形成されていてもよい。さらにまた、下側の板材には、板材の一部切り起こしによって略字体が形成されていてもよい。
これによれば、文字板上に略字体をきわめて簡単に起立させることができ、量産に適したものが提供される。
【発明の効果】
【０００６】
本発明によれば、表示部を正面から見たときには視認できない数字、記号或いは模様等の絵柄を、表示部を斜めに見たときには視認できるように構成するため、一見無表情な時計の中にも、今まで表現できなかった表示部の実現が可能になり、デザインバラエティーを広げることができる。
【発明を実施するための最良の形態】
【０００７】
以下、本発明による時計の一実施形態を添付図面を参照して説明する。
図１は、本実施形態による腕時計の時計ケースを示す斜視図、図２は、同じく断面図である。符号１０は真鍮製の時計ケースを示し、この時計ケース１０の胴部の外周面にはすべて鏡面仕上げが施されている。
時計ケース１０は真鍮製に限定されず、例えば一般的なステンレス等の金属製、或いは樹脂製であってもよい。
この時計ケース１０は同じく外面に鏡面仕上げが施された裏蓋１０Ａを備え、時計ケース１０の内部にはムーブメント１１が内蔵されている。この時計ケース１０には時計バンド２０が取り付けられている。
【０００８】
このムーブメント１１は、筒車１４、及び二番車１５を備え、各車は、表示部を構成する文字板１の中央孔１Ｄを貫通し、当該文字板１の上方に延出し、上記筒車１４には時針４Ａが取り付けられ、上記二番車１５には分針４Ｂが取り付けられている。
そして、時針４Ａ、及び分針４Ｂの上方には、円形状のカバーガラス１７が配置されており、このカバーガラス１７は、時計ケース１０の上部の環状段部１０Ａに接着等によって固定されている。
【０００９】
時計ケース１０には、リュウズ１３が取り付けられ、このリュウズ１３によって、時針４Ａ、並びに分針４Ｂが操作されるとともに、図示を省略したカレンダー（年、月、日、曜日等）機構等が操作される。
時計ケース１０と裏板１０Ａとの間には、必要に応じて、密閉性や防水性を向上させるための、パッキン、シール材等を配置することが望ましい。ここに、グリース、オイル、樹脂等を充填させた場合には、密閉性や防水性を更に向上させることができ、パッキンやシール材が空気に触れないように構成できるので、これらパッキンやシール材の耐久性を向上させることができる。
【００１０】
本実施形態では、文字板１に、時刻を表示するための起立した１２個の略字体２１が形成され、この略字体２１の側面に、表示部を正面から見たときには視認できないローマ数字３０（数字、記号或いは模様等の絵柄）が、表示部を斜めに見たときに視認できるように打ち抜き形成されている。この場合、略字体２１の側面にローマ数字３０を打ち抜き形成したが、これに限定されるものではなく、例えば、略字体２１の側面にローマ数字３０（数字、記号或いは模様等の絵柄）を印刷したり、エンボス加工したり、或いは植字したりしたものであってもよい。
また、１２個の略字体２１は、表示部を正面から見たときにはそれぞれ棒状に表れるが、棒状に限定されるものではなく、例えば、表示部を正面から見たときにくさび状、円形状、波状等の様々な形状であってもよい。略字体２１は１２個に限定されず、必要に応じてその個数が増減される。
文字板１は、図１に示すように、２枚の板材１Ａ，１Ｂを積層して形成される。上側の板材１Ａには、図３に示すように、１２個のスリット１Ｃが周方向に等間隔に放射状に形成され、下側の板材１Ｂには、図４に示すように、上側の板材１Ａのスリット１Ｃを貫通して延びる１２個の略字体２１が周方向に等間隔に放射状に形成され、文字板１はこれらを積層して形成される。
【００１１】
下側の板材１Ｂは、図４Ａに示すように、円形のプレートである。この板材１Ｂには１２個の略字体２１が形成されるが、それぞれの略字体２１は、円形のプレートの一部を打ち抜いて、切り起こして形成される。
すなわち、それぞれの折り曲げ予定線２１Ａを残して、略字体２１の縁を構成する残りの三辺（実線部）と、上記ローマ数字３０の部分とを、予めプレス加工により打ち抜き、三辺を打ち抜いた後の略字体２１を、各折り曲げ予定線２１Ａに沿って折り曲げることによって、文字板１上に各略字体２１を起立させる。
その後、各板材の積層面に必要に応じて接着剤を塗布し、下側の板材１Ｂの各略字体２１を、上側の板材１Ａのスリット１Ｃに嵌め込むようにして、２枚の板材１Ａ，１Ｂ同士を積層、接着する。
【００１２】
上記構成によれば、表示部を正面から見たときには視認できなかった、時刻を表すローマ数字３０を、図１に示すように、表示部を斜めに見たときには視認できるため、一見無表情な時計の中にも、今まで表現できなかった表示部の実現が可能になり、デザインバラエティーを広げることができる。
また、板状の略字体２１の側面に対し、時刻を表すローマ数字３０を、表示部を斜めに見たときに視認できるように打ち抜き形成しているため、表示部を正面から見たときには、何の変哲もない棒状の略字体が表れるだけであるが、光がもたらす様々な現象によって、その光が略字体２１に遮られると共に、打ち抜かれたローマ数字３０の部分を透過する光が文字板１上に陰を落とす。
これによって、表示部を斜めに見たときばかりでなく、正面から見たときであっても、当該ローマ数字３０を文字板１上で視認可能になり、さらに、デザインバラエティーを広げることができる。
【００１３】
また、各板材１Ａ，１Ｂの積層面に必要に応じて接着剤を塗布し、下側の板材１Ｂの各略字体２１を、上側の板材１Ａのスリット１Ｃに嵌め込むようにして、２枚の板材１Ａ，１Ｂ同士を積層するだけで、文字板上に１２個もの多数の略字体をきわめて簡単に起立させることができるため、量産に適したものになる。
さらに、略字体２１の形成時には、折り曲げ予定線２１Ａを残して、略字体２１の縁を構成する残りの三辺（実線部）と、上記ローマ数字３０の部分とを、予めプレス加工により打ち抜き、三辺を打ち抜いた略字体２１を、各折り曲げ予定線２１Ａに沿って折り曲げることによって、文字板１上に各略字体２１を起立させているため、略字体２１を簡単に形成することができる。
【００１４】
略字としては、ローマ数字３０を利用したが、これに限定されず、棒、アラビア数字、丸点などを利用してもよい。本実施形態では、略字体２１が棒であり、その側面の略字がローマ数字３０である。
このように、一つの時計の中に、棒とローマ数字の異なる表示形態を持って、時刻を指し示す略字が表現されるため、今まで表現できなかった表示部の実現が可能になり、デザインバラエティーを広げることができる。
本実施形態では、円形の時計ケース１０で説明したが、これに限定されるものではなく、例えば角形の時計ケース等であってもよい。
【００１５】
本実施形態によれば、一見無表情な顔をした時計であるが、それを見る角度によって、略字を見つけだすことができ、大人の遊び心をくすぐる時計となる。また、文字板１に陰として、数字、記号或いは模様等の絵柄が映し込まれるため、光がもたらす表情を楽しむことができ、今まで表現できなかった表示部の実現が可能になり、デザインバラエティーを広げることができる。
上記構成では、略字体２１の側面に配置される数字、記号或いは模様等の絵柄が、ローマ数字３０であったが、これに限定されず、ほかの記号或いは模様等の絵柄であってもよい。また、略字体２１の側面に配置される数字（ローマ数字）等の形態が、略字体２１の表す略字（棒）とは異なる形態で表示されていたが、これに限定されず、同じ形態、例えば、共に棒で表示されていてもよい。
【００１６】
この積層された文字板では、例えば、下板にデザインを施し、このデザインを視認できるように、上板に開口部を形成し、さらにはこの上板にもデザインを施す等の工夫をしてもよい。文字板を多層に形成することによって、立体的なデザインを形成することができるとともに、例えば、１枚の文字板上に形成することの困難な複雑なデザインも容易に構成することができる。
また、多層文字板とすることによって、表面側から見えない裏面板を純鉄等の磁性体によって形成すれば、特に時計ケース１０の表面側から磁界を受けた場合の耐磁性を向上させることができる。
【００１７】
以上、一実施形態に基づいて、本発明を説明したが、本発明は、これに限定されるものではない。上記実施形態では、本発明を腕時計に適用した例を示したが、本発明は腕時計に限らず、置き時計、懐中時計、ストップウォッチ等の各種時計に対して同様に適用することができる。
また、上記実施形態では、機械式のアナログ式時計について説明したが、デジタル式の時計に対しても適用が可能である。
【図面の簡単な説明】
【００１８】
【図１】本発明の一実施形態を示す平面図である。
【図２】同じく断面図である。
【図３】文字板を構成する上側の板材の平面図である。
【図４】Ａは文字板を構成する下側の板材の平面図、Ｂは同じく略字体を切り起こした状態を示す斜視図である。
【符号の説明】
【００１９】
１…文字板、１Ａ…上側の板材、１Ｂ…下側の板材、４Ａ…時針、４Ｂ…分針、１０…時計ケース、１１…ムーブメント、１７…カバーガラス、２１…略字体、３０…ローマ数字。
【図１】
2005114573.tif 000003
【図２】
2005114573.tif 000004
【図３】
2005114573.tif 000005
【図４】
2005114573.tif 000006